(57)【要約】【課題】  サムターンを扉に装着するときの扉面の変形を最小にできるサムターン座を提供する。【解決手段】  大径部と小径部を同軸に連設して外周面に段部を形成し、サムターンの摘み９に連結されたダルマ操作軸１１を内筒部に回動可能に収納した筒体であって、扉内面に開口し、その小径部が遊嵌できる開口から小径部を挿入し、筒体の外周部及び錠箱を貫通して先端をシリンダ錠に螺合させた取付ねじ７により、シリンダ錠を呼び付けるようにして固定し、更に、扉内面に突出した大径部をカップ状の化粧部材１４で覆うようにしたものにおいて、上記段部を室内側に残して扉内空間に挿入された小径部の内端面が、錠箱６の側面との間に極僅かの隙間を保ってこれと対峙するようにする。【選択図】  図１
2007146598.tif 000002
【特許請求の範囲】
【請求項１】
大径部と小径部を同軸に連設して外周面に段部を形成し、サムターンの摘みに連結されたダルマ操作軸を内筒部に回動可能に収納した筒体であって、扉内面に開口し、その小径部が遊嵌できる開口から小径部を挿入し、筒体の外周部及び錠箱を貫通して先端をシリンダ錠に螺合させた取付ねじにより、シリンダ錠を呼び付けるようにして固定し、更に、扉内面に突出した大径部をカップ状の化粧部材で覆うようにしたものにおいて、上記段部を室内側に残して扉内空間に挿入された小径部の内端面が、錠箱側面との間に極僅かの隙間を保ってこれと対峙するようにしたことを特徴とするサムターン座。
【発明の詳細な説明】
【技術分野】
【０００１】
この発明は、サムターン座に係り、特に、サムターンやシリンダ筒を扉に装着する際、扉面の変形を最小にするようにしたサムターン座に関する。
【背景技術】
【０００２】
通常、サムターン座は、後記特許文献１の第１１図に示すように、扉９の内面に接合した後扉９及び錠箱１を貫通する取付ねじ１２、１２により室外側のシリンダ錠６を呼び付けるようにして固定する。
【特許文献１】実公平０６−０４０２９０号公報
【特許文献２】特願２００４−１８４９６２
【特許文献３】特願２００４−３６２６６６
【特許文献４】特願２００５−３３９８０４
【発明の開示】
【発明が解決しようとする課題】
【０００３】
サッシの扉は、通常、２枚の薄いアルミ板を錠箱が入る隙間を保って枠に張り付けたものだから、上記のようにサムターン座及びシリンダ錠を扉に装着するため取付ねじを締め込むと、扉の内面が外側に、外面が内側に夫々凸になるように弾性変形する。
【０００４】
この弾性変形は、特に扉の表面の反射率が高い場合にははっきりと見え、所謂見栄えが悪くなる。
【０００５】
一方、本発明者は、夫々別の目的で提案した新規なサムターン座の構造に、上記取付ねじの締め過ぎに起因する扉面の弾性変形を解消できる発明が内在していることを発見した。
【０００６】
そこで、この発明は、上記特許文献２〜４に内在している発明を抽出し、サムターン座及びシリンダ錠の扉への装着に際し取付ねじの締め過ぎが生じないサムターン座を提供し、もって上記した不都合を解消することを目的としている。
【課題を解決するための手段】
【０００７】
上記の目的を達成するため、請求項１に記載の発明は、大径部と小径部を同軸に連設して外周面に段部を形成し、サムターンの摘みに連結されたダルマ操作軸を内筒部に回動可能に収納した筒体であって、扉内面に開口し、その小径部が遊嵌できる開口から小径部を挿入し、筒体の外周部及び錠箱を貫通して先端をシリンダ錠に螺合させた取付ねじにより、シリンダ錠を呼び付けるようにして固定し、更に、扉内面に突出した大径部をカップ状の化粧部材で覆うようにしたものにおいて、上記段部を室内側に残して扉内空間に挿入された小径部の内端面が、錠箱側面との間に極僅かの隙間を保ってこれと対峙するようにしたことを特徴とする。
【発明の効果】
【０００８】
上記のように構成された請求項１に記載の発明は、取付ねじを締め込んでいくと、扉面の弾性変形によりサムターン座の小径部の内端面が錠箱の側板に当接する。
【０００９】
すると、扉面を更に弾性変形しようとする外力は錠箱の側板の厚さ方向に作用するが、錠箱のフロント板（特許文献１の第１１図の符号３で示す面板）とサムターン座の小径部との距離が短いため、上記外力は錠箱をフロント板の回りで捩るようには作用せず、フロント板を室外側に水平移動させるように作用する。
【００１０】
しかしながら、フロント板は通常強固に扉の自由側端縁に固定されているから、結局、それ以上扉面は弾性変形しない。
【００１１】
また、デッドボルトが錠箱のフロント板を貫通して扉枠のストライク孔に投入された状態、すなわち施錠状態で扉を無理に開けようとすると、扉の左右勝手によっては錠箱の背板が室内側に向かって捩られることがあるが、この場合にはその捩り力がサムターン座に担持されることがある、等種々の効果を奏する。
【発明を実施するための最良の形態】
【００１２】
サムターン座の内端面を錠箱に近接させる、という簡単な構成で扉の変形を有効に防止できた。
【実施例１】
【００１３】
以下、この発明の実施例を図面を参照して説明する。
図１はこの発明の第１実施例で、その図１において符号１は前記特許文献２に記載の発明によるサムターン座の全体を示す。
【００１４】
このサムターン座１は、符号２で示す筒体を有し、この筒体２（以下サムターン座を代表してサムターン座という）は、大計部２ａと小径部２ｂとを同軸に連設したもので断面円形である。そして、外周面に付番しない段部を形成している。
【００１５】
このサムターン座２の小径部２ｂは、扉の内面３に形成された付番しない円形の開口を挿通して扉４の内部空間に挿入され、室内側の外端面を覆うカバー板５、サムターン座２の外周部及び錠箱６を貫通して扉外面が和に突出する少なくとも１本の取付ねじ７により、図示しないシリンダ錠を呼び付けるようにして扉内面に装着される。
【００１６】
なお、図示の実施例では、サムターン座２の外周面における段部にスペーサリング８が嵌装され、サムターン座の段部が直接扉の内面３に接触しないようにしているが、この構成はこの発明の必須の構成要件ではない。
【００１７】
上記のように扉内面に装着されたサムターン座２の内筒部には、サムターンの摘み９に連結されたダルマ操作軸１１が回動可能に収納されている。
【００１８】
このダルマ操作軸１１は、通常、錠箱内のデッドボルト制御機構である通称ダルマと称されるカム部材と係合することは従来のサムターンと同様である。
【００１９】
図示の実施例では、上記ダルマ操作軸１１は、その溝１２と、半径方向に弾性変形する複数この係合爪１３、１３との係合により抜け止めが施されている。
【００２０】
また、サムターン座２の室内側の外端面はカップ状の化粧部材１４に被覆されているが、図示の実施例における化粧部材１４は、その開口端縁部に形成された係止爪１５をカバー板５の開口端縁に形成された切欠１６に係合させることによりサムターン座１に装着されている。
【００２１】
なお、これらの構成は前記特許文献３に記載されているから、更に詳細な説明は省略する。
【００２２】
そして、本願発明の特徴的な構成は、サムターン座の小径部２ｂの内端面が、錠箱６の室内側の側板外面との間に極僅かの隙間を保ってこれと対峙するように、各部の形状、寸法が設定されていることである。
【００２３】
なお、ここで極僅かの隙間を保つ、という概念には、隙間がゼロ、換言すればサムターン座の内端面が錠箱に当接する場合も含むものとする。
【００２４】
上記のように構成されたこの発明の一実施例によるサムターン座は、前記発明の効果の項に記載された作用効果を有する。
【実施例２】
【００２５】
図２は前記特許文献３に記載された発明によるサムターンを示し、このサムターンは、摘み９及びこれに一体に結合された付番しない連結軸をサムターン座に任意に着脱するようにしたもので、摘み９を取り外すときにはストッパー１７を上方に押す。
【００２６】
なお、摘み９及び連結軸のサムターン座に対する着脱の機構は特許文献３に詳細に記載されているから、更に詳細な説明は省略する。
【００２７】
図２にも本願発明が内在しており、そのサムターン座２の内端面が錠箱６の側板に近接、或いは当接しており、その作用効果は図１に示すものと変らない。
これは、前記特許文献４に記載されたサムターンについても同様である。
【図面の簡単な説明】
【００２８】
【図１】本発明の一実施例によるサムターンの断面図。
【図２】本発明の他の実施例によるサムターンの断面図。
【符号の説明】
【００２９】
１  サムターン座の全体
２  筒体
３  扉の内面
４  扉
５  カバー板
６  錠箱
７  取付ねじ
８  スペーサリング
９  摘み
１１  ダルマ操作軸
１２  溝
１３  係合溝
１４  化粧部材
１５  係止溝
１６  切欠
１７  ストッパー
【図１】
2007146598.tif 000003
【図２】
2007146598.tif 000004